(57)【要約】【課題】  従来の切くず処理装置はタンクの上部に設けたフィルタ上に堆積した切くずを作業者が定期的に掻き板で掻き出して回収していた。また、タンクの中にフィルタを設けたコンベヤで切くずを掻き出しているものもあるが、フィルタから抜けた微小切くずがタンクに溜まるという問題があった。そして、スカム及び潤滑油を回収するために、別の装置を取付ける必要があった。【解決手段】  タンクとコンベヤーを一体化し、タンク内にフィルターで仕切り、フィルター上を回収容器を移動させ切くず及びスカムそして潤滑油を同時に回収し定期的なタンク清掃を無くするすることが出来る。【選択図】図１
2012254515.tif 000002
【特許請求の範囲】
【請求項１】
タンク６とチェーーン４及び回収容器５の組み合わせを有するコンベヤーを一体化し、水平に設けたフィルター７でタンクを上槽部と下部槽部に仕切り、フィルター上を移動する回収容器を有する切くず及びスカムそして潤滑油の回収機構。
【請求項２】
フィルター７の端に、切くずが、フィルターで仕切られたタンクの下部槽に入らないようにするためのヒンジ式遮断器９を設けた機構。
【請求項３】
回収容器をガイド１０によって垂直に移動させ仕切板１１の両側をチェーンのローラーが走行する機構。
【請求項４】
切箱くず箱１４と分離槽１５を組み合わせて切削油剤を浄化しタンク６へ流入し潤滑油を潤滑油回収箱に回収する機構。
【発明の詳細な説明】
【技術分野】
【０００１】  本発明は、工作機械から切削油剤と一緒に流入した切くずを、回収容器で容易に回収するとともにスカム及び混入して浮いた工作機械の潤滑油（以下、潤滑油）を回収する、切削油貯留タンク（以下、タンク）とコンベヤーを一体化し、定期的なタンク清掃を無くするため装置である。
【背景技術】
【０００２】  従来の工作機械の切くず処理装置（以下、切くず処理装置）は、工作機械から排出され切くずが、タンクの上部に設けられたフィルタ上に堆積して、作業者が定期的に掻板で、切くず箱に回収していた。
また、タンクの中にフィルターを設けたコンベヤで切くずを回収しているものもある。
【発明の概要】
【発明が解決しようとする課題】
【０００３】  以上に述べた従来の切くず処理装置は、作業者が定期的に掻板で回収するという煩雑性があった。又、タンクの中にコンベヤを設けた装置もフィルタから抜けた微小切くずがタンクの底に堆積し清掃する必要があった。また、スカム及び潤滑油は、別の装置を設けて回収する必要があった。【０００４】  本発明は、このような従来の構成が有していた問題を解決しようとするものであり、切くず及びスカムそして潤滑油を回収する装置を実現することを目的とするものである【０００５】  工作機械から排出された、切削油剤と切くずが流入口から本装置に入り、切削油剤はフィルタを通してタンクの下部槽に入る。【０００６】  本装置のタンクは、水平なフィルター及び仕切板で上部曹と下部曹に仕切られており、フィルター上に堆積した切くず及びスカムそして潤滑油は、減速歯車付モータ（以下、モータ）で、チェーンに取付けられた回収容器を移動し回収する機能を有している。【０００７】  チェーンのローラーは仕切板上を回転しながら走行し、回収容器を円滑に移動させ、切くずを掬いながらフィルター表面を払拭する機能を有している。【０００８】  また、第２の課題は、フィルターの、回収箱移動方向とは反対側に遮断機が設けられ、切くずがタンク下部槽に入らない用にさせる機能を有している。【０００９】上記第２の課題解決による作用は、タンクの下部槽から移動してきた回収容器が移動時に遮断器がヒンジによって上部に回転させ、回収容器が遮断の機能を有する効果がある。【００１０】  また、第３の課題解決手段による作用は、回収容器内に掬い集めた切くずを容易に搬出し、スカム及び潤滑油を回収容器内に収納させるために、水平部から反転して垂直に移動させる機能を有している。【００１１】  上記第３の課題解決手段による作用は、本装置の垂直部に反対方向に移動する回収容器との間に仕切板を設け回収容器から切くず及びスカムそして潤滑油がタンクの下部槽に入らない用にする効果がある。【００１２】  さらに第４の課題解決の手段の作用は、垂直に移動した回収容器を再度反転させ、仕切板を下方向に傾斜させて、切くず及びスカム、潤滑油を容易に排出させる構造である。【００１３】  そして第５の解決による作用は、切くず排出口部で回収容器内を下側へ反転させる構造である。【００１４】  最後に、第６の課題解決による作用は、切くず箱内の回収した切くずに、スカムを付着させ切削油剤を浄化し、潤滑油とともに分離槽に流入し、切削油剤はタンクへ戻し、潤滑油は油回収箱に回収する構造になっている。
【発明の効果】
【００１５】  上述したように、本発明の切くず処理装置は、作業者が定期的に掻板で切くずを回収するという労力が無くなり、また、定期的なタンク清掃の必要が無くなった切くず処理装置を提供出来る。また、１個のもモータで切くず及びスカムそして潤滑油を自動的に回収出来るものである。
【図面の簡単な説明】
【００１６】
【図１】    本発明の実施形態を示す切くず処理装置の断面図である。
【図２】    同上面図である。
【図３】    同図１におけるＡ−Ａ線断面図である。
【図４】    同図３におけるＢ−Ｂ線断面図である。
【図５】    同図１におけるＣ−Ｃ線断面図である。
【図６】    同図６におけるＤ部詳細図である。
【発明を実施するための形態】
【００１７】  以下、本発明を実施するための形態を図１〜図６に基づいて説明する。
【００１８】  図においては、１はモータで、切くず排出部１３に固定されている。モータには軸２が接続されてさらにスプロケット３を介してチェーン４を走行させる。チェーンには回収容器５が固定されていて、チェーンの走行とともに移動する。回収容器はタンク６の中に設けられたフィルター７の上部を移動する。タンク内のチェーンはフィルターと接続されたタンクの両端の仕切板８の上を走行する。
【００１９】  フィルターの、回収容器の移動方向の反対側に、切くずがフィルターで仕切られたタンクの下部槽に入らないようにするための遮断器が９設けられている。遮断機はタンクの下部槽から移動してきた回収容器よってヒンジで回転し、回収容器が遮断の機能を果たす。
【００２０】  タンク内で水平に走行したチェーン及び移動した回収容器は、タンクのコーナーでガイド１０によって９０度反転し垂直に上方に移動する。このとき回収容器内の切くず及びスカムそして潤滑油がフィルターで仕切られたタンクの下部槽に入らないように仕切板１１を設け、チェーンのローラーは仕切板に沿って走行する。
【００２１】  垂直に上位に走行したチェーン及び回収箱はスプロケット１２によって反転する。仕切板は切くずの排出口１３の方向に傾斜して、切くず及びスカムそして潤滑油の回収を容易にする機能を有している。
【００２２】  チェーン及び回収容器はスプロケット３によって反転し、回収容器内の切くず及びスカムそして潤滑油を切くず回収箱１４に落下させる。
【００２３】  切くず回収箱内のスカムは切くずに付着し、切削油及び潤滑は浄化されて分離槽１５にに流入する。分離槽で、比重差によって切削油剤はタンクに流入し潤滑油は潤滑油回収箱１６に流入し回収する。
【００２４】  以上の構成部品で浄化された切削油剤はポンプ１７によって工作機械に送られ、再度流入口１８から流入する。
【符号の説明】
【００２５】    １      モータ
２      軸
３      スプロケット（駆動用）
４      チェーン
５      回収容器
６      タンク
７      フィルター
８      仕切板（水平部）
９      遮断器
１０    ガイド
１１    仕切板（水直部）
１２    スプロケット（コーナー部）
１４    チップボックス
１５    分離槽
１６    潤滑油回収箱
【図１】
2012254515.tif 000003
【図２】
2012254515.tif 000004
【図３】
2012254515.tif 000005
【図４】
2012254515.tif 000006
【図５】
2012254515.tif 000007
【図６】
2012254515.tif 000008